【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
近位の開口と、遠位の開口と、該近位の開口と該遠位の開口との間に規定された流体チャンバーとを有する中空のバレルであって、該バレルは、該遠位の開口の近くに内部表面を有する、中空のバレルと、
空洞を有し、該近位端の開口を介して該バレルの中に延び、該バレルの中で、該遠位端の開口に向かって、そして該遠位端の開口から離れるように軸方向に移動可能な中空のプランジャーと、
該バレルの遠位端内に少なくとも部分的に選択的に固定され、該バレルの遠位端部近くに位置するように構成されている針アセンブリであって、該針アセンブリは、針ホルダと、該針ホルダを該バレルの近位端の開口に付勢する弾性部材と、低減された材料部分を介して該針ホルダに解放可能に固定される保持部材と
を備え、
該針アセンブリおよびバレル内部表面は、互いに相互に係合し、該針アセンブリが該バレル内に少なくとも部分的に設置される場合には、該バレルに対する該針ホルダの回転運動を制限するように構成された対応する固定部分を含み、
該針ホルダは、針の相補的な接続構造と係合して、異なるタイプの針の、該針ホルダ接続構造との選択的な取り付けおよび取り外しを容易にするように構成された接続構造を含む、注射器。
【請求項２】
前記保持部材は、前記プランジャーに向かって延びる少なくとも１つの突起を備え、該プランジャーおよび該少なくとも１つの突起は、該プランジャーの遠位端と該少なくとも１つの突起との接触の際に、該針ホルダからの該保持部材の逐次的な破断を容易にするようにさらに構成され、その結果、該少なくとも１つの突起は該バレルの遠位端に向けて押されて、前記低減された材料部分に沿った該針ホルダからの該保持部材の少なくとも一部の該逐次的な破断を誘発する、請求項１に記載の注射器。
【請求項３】
前記保持部材は、前記針ホルダの近位端の周りに配置される保持リングを備え、前記低減された材料部分は、該保持リングと該針ホルダとの間に規定された少なくとも１つの刻み目部分を備え、該少なくとも１つの刻み目部分は、該低減された材料部分を部分的にのみ介して延び、その結果、該保持リングおよび針ホルダは、該針ホルダからの該保持リングの分離の前に、単一の一体化した部品として接続される、請求項１に記載の注射器。
【請求項４】
前記保持リングは、前記プランジャーに向かって延びる少なくとも１つの突起を含み、該少なくとも１つの突起は、該保持リングの外周エッジと前記少なくとも１つの刻み目部分との間に配置され、その結果、刻み目部分が、該少なくとも１つの突起と、該保持リングの該外周エッジとの間に配置されず、該プランジャーおよび針アセンブリは、さらに、前記バレルの遠位端に向かう該プランジャーの動きと共に、該保持リングの少なくとも１つの突起と該プランジャーの遠位端との係合の際に、該刻み目部分に沿った前記針ホルダからの該保持リングの逐次的な破断を開始するように構成される、請求項３に記載の注射器。
【請求項５】
前記プランジャーは、該プランジャーの遠位端の開口を摩擦係合するプラグを備え、該プラグは、前記バレルの遠位端へ向かう該プランジャーの押し込みの際に、該プラグが前記針ホルダと係合し、該プラグを該プランジャーから取り外し、該プラグ、針ホルダ、および該針ホルダに固定される針のプランジャー空洞への引き込みを容易にするように構成される、請求項１に記載の注射器。
【請求項６】
前記プランジャーは、低減された材料部分を介して該プランジャーの遠位端に解放可能に固定された端壁を備え、該プランジャーは、該プランジャーが前記バレルの遠位端に完全に押し込まれたときに、該プランジャーが前記針ホルダを係合し、該プランジャーの該端壁を押し、該低減された材料部分に沿って該プランジャーの遠位端を破断し、該針ホルダから分離させ、それによって該針ホルダの前記プランジャー空洞への引き込みを容易にするように構成される、請求項１に記載の注射器。
【請求項７】
前記バレルは、該バレルの遠位端の内部表面部分から延びる少なくとも１つの突起を含み、該少なくとも１つの突起は、前記保持部材および前記針ホルダが該バレルの近位端から該突起を通過して軸方向に配置されることを可能にし、該バレルの突起は、該針ホルダの前記プランジャー空洞への引き込みの前に、該保持部材および該針ホルダを係合し、該保持部材および該針ホルダが軸方向に動くことを阻止するようにさらに構成される、請求項１に記載の注射器。
【請求項８】
前記プランジャーは、該プランジャーの遠位端においてフランジを含み、前記バレルは、該バレルの近位端において延長された部分を含み、該延長された部分は、該プランジャーが該バレルの遠位端に向けて完全に押し込まれたときには、前記プランジャー空洞への前記針ホルダ引き込みの後に、該バレルからの該プランジャーの軸方向への変位を阻止するように、該プランジャーのフランジを受容するように構成されている、請求項１に記載の注射器。
【請求項９】
前記バレルの延長された部分の中に配置されたロックをさらに備え、該ロックは、該バレルからの前記プランジャーの近位端の移動を阻止するために、該バレルの遠位端に向けて該プランジャーが完全に押し込まれ、前記プランジャー空洞内に前記針ホルダが引き込まれた際に、該プランジャーのフランジと係合するように構成される、請求項８に記載の注射器。
【請求項１０】
前記バレルの延長された部分は少なくとも１つの切り抜き部分を含み、該切り抜き部分は、該切り抜き部分において、該バレルの延長された部分の内側を露出するように構成される、請求項８に記載の注射器。
【請求項１１】
前記対応する固定部分は、少なくとも１つの突起と対応する凹部とを含み、該突起および凹部は、前記針ホルダが前記バレルに対して該針ホルダを軸方向にロックするように該バレルの遠位端に前進するときに、互いに係合する、請求項１に記載の注射器。
【請求項１２】
前記保持部材は、前記バレルの近位端に挿入され、該バレルの遠位端にしっかりと設置されるように構成され、その結果、前記対応する固定部分が相互に係合する、請求項１に記載の注射器。
【請求項１３】
前記保持部材は半径方向に延長される部材を有し、前記バレルの遠位端は、該半径方向に延長される部材に適合する半径方向の凹部を有する、請求項１２に記載の注射器。
【請求項１４】
前記半径方向に延長される部材は、前記保持部材の外部表面に沿って垂直方向に延びる、請求項１３に記載の注射器。
【請求項１５】
前記プランジャーは、該プランジャーの遠位端近くで該プランジャーの一部の周りに延長するシールを含み、該シールは、該プランジャーが前記バレルの遠位端に向けて完全に押し込まれた際に、該バレルの内部壁部分に対して選択された程度で圧縮するように構成される、請求項１に記載の注射器。
【請求項１６】
前記プランジャーは、該プランジャーの近位端における開口内に固定されたキャップを含み、該キャップは、該キャップが該近位端の開口内に固定されたとき、該プランジャーの近位端に隣接して配置されるフランジを含む、請求項１に記載の注射器。
【請求項１７】
プランジャーの遠位端において該プランジャーの一部の周りに配置されるシールをさらに含み、該シールは、該プランジャーの該遠位端を少なくとも部分的に覆うように延長する、請求項１に記載の注射器。
【請求項１８】
前記プランジャーの端壁は、該プランジャーおよび該端壁のうちの一方の上に配置された少なくとも１つの突起を介して該プランジャーに解放可能に固定され、該少なくとも１つの突起は、該プランジャーおよび該端壁のうちのもう一方の上に配置された少なくとも１つの対応する溝と係合する、請求項１に記載の注射器。
【請求項１９】
針に固定される針コネクタをさらに備え、該針コネクタは、該針を前記針ホルダに解放可能に固定するように構成され、該針コネクタおよび該針ホルダは、対応する係合部分を含み、該対応する係合部分は、少なくとも１つの突起と対応する溝とを備え、該少なくとも１つの突起と該対応する溝とは、該針コネクタが該針ホルダに固定されたとき、互いに係合する、請求項１に記載の注射器。
【請求項２０】
近位の開口と、遠位の開口と、該近位の開口と該遠位の開口との間に規定された流体チャンバーとを有する中空のバレルであって、該バレルは、該遠位の開口の近くに内部表面を有する、中空のバレルと、
プランジャー空洞を有し、該近位端の開口を介して該バレルの中に延び、該バレルの中で、該遠位端の開口に向かって、そして該遠位端の開口から離れるように軸方向に移動可能な中空のプランジャーと、
該バレルの遠位端内に少なくとも部分的に選択的に固定され、該バレルの遠位端近くに位置するように構成されている針アセンブリであって、該針アセンブリは、針ホルダと、該針ホルダを該バレルの近位端の開口に向けて付勢する弾性部材と、低減された材料部分を介して該針ホルダに解放可能に固定される保持部材とを備える、針アセンブリと
を備え、
該バレルは、該内部表面から内側に延長する保持部材を備え、該保持部材は、該針アセンブリが、該バレルの近位の開口から該保持部材を通過して位置付けられることを可能にするように構成され、該保持部材は、該プランジャーが該針アセンブリを係合するように前進したとき、かつ該針ホルダが該プランジャー空洞内に引き込まれるまで、該針アセンブリを軸方向に固定するように構成される、注射器。
【請求項２１】
注射器を利用する方法であって、該注射器は、
近位の開口と、遠位の開口と、該近位の開口と該遠位の開口との間に規定された流体チャンバーとを有する中空のバレルであって、該バレルは、該遠位の開口の近くに内部表面を有する、中空のバレルと、
プランジャー空洞を有し、該近位端の開口を介して該バレルの中に延び、該バレルの中で、該遠位端の開口に向かって、そして該遠位端の開口から離れるように軸方向に移動可能な中空のプランジャーと、
該バレルの遠位端内に少なくとも部分的に選択的に固定され、該バレルの遠位端近くに位置するように構成されている針アセンブリであって、該針アセンブリは、針ホルダと、該針ホルダを該バレルの近位端の開口に向けて付勢する弾性部材と、低減された材料部分を介して該針ホルダに解放可能に固定される保持部材とを備える、針アセンブリと
を備え、
該バレルは、該内部表面から内側に延びる保持部材を備え、該保持部材は、該針アセンブリが、該バレルの近位の開口から該保持部材を通過して位置付けられることを可能にするように構成され、
該方法は、
該バレルの近位の開口の中に該針アセンブリを挿入し、該バレルの保持部材を通過するように前進させることによって、該針アセンブリを軸方向に適切な位置にロックするステップと、
該低減された材料部分が崩壊し、該針ホルダが該プランジャー空洞内に、該弾性部材によって引き込まれるまで、該ロックされた針アセンブリを係合するように該プランジャーを前進させるステップと
を包含する、方法。
【請求項２２】
単一使用注射器であって、
開放した近位端と開放した遠位端とを有する長手方向の通路を含む中空の注射器本体と、
該注射器本体の該開放した近位端を介して該注射器本体の中に延びる遠位端を含むプランジャーと、
該注射器本体の該遠位端内で、該遠位端の近くに少なくとも部分的に配置された針ホルダと
を備え、針は、該針ホルダに取り外し可能に、またはしっかりと取り付けられ、該注射器本体の遠位端のバネは、該プランジャーの遠位端を通って、該プランジャーの中に該針ホルダを突出させるように付勢され、該針ホルダは、内側部品と外側部品とを備え、該内側部品は該針を収容し、該外側部品は、該長手方向の通路の壁と係合する外側外周部分を含み、該内側部品は、該内側部品と該外側部品との間に位置する破断部分において、該外側部品から破断するように構成され、該外側部品は、該プランジャーの該遠位端に向けて方向付けられた隆起部分を収容し、該隆起部分は、該内側部品の周りの一部分にのみ延び、該隆起部分は、該プランジャーに対する初期接触領域を、該針ホルダの該外側部品に提供することによって、該外側部品から該内側部品を破断するために必要とされる力を低減する、注射器。
【請求項２３】
前記外側部品は、該外側部品に沿って互いから分値される複数の隆起部分を収容し、該隆起部分は、前記プランジャーが、該外側部品からの前記内側部品の逐次的な破断を容易にするように前記針ホルダに接触するとき、該プランジャーの前記遠位端と係合するように構成される、請求項２２に記載の注射器。
【請求項２４】
前記針ホルダコネクタおよび前記針のうちの一方の接続構造は、雄ネジ接続を含み、該針ホルダコネクタおよび該針のうちのもう一方の接続構造は、該針ホルダコネクタと該針との間のネジ係合を容易にする雌ねじ接続を含む、請求項１に記載の注射器。
【請求項２５】
前記外側部品は、前記隆起部分と該外側部品の外側外周エッジとの間に配置される破断部分がないように、前記内側部品から分離する単一の部品として構成される、請求項２に記載の注射器。
【請求項２６】
針を前記針ホルダに接続するステップをさらに含む、請求項２１に記載の方法。
【請求項２７】
中空のバレルであって、該バレルの近位端の開口と、該バレルの遠位端の開口と、該バレル内に配置された流体チャンバーとを含む、中空のバレルと、
プランジャー空洞を有し、該近位端の開口を介して該バレルの中に延び、該バレルの中で、該遠位端の開口に向かって、そして該遠位端の開口から離れるように軸方向に移動可能な中空のプランジャーと、
該バレルの遠位端内に少なくとも部分的に選択的に固定され、該バレルの遠位端近くに位置するように構成されている針アセンブリであって、該針アセンブリは、針ホルダと、該針ホルダを該バレルの近位端の開口に付勢する弾性部材と、該針ホルダの近位端の周りに配置された保持リングを備え、低減された材料部分を介して該針ホルダに解放可能に固定される保持部材とを備える、針アセンブリと
を備え、
該針ホルダは、該針が該バレルの該遠位端の開口を通して延びることを可能にするように、針を該針ホルダにしっかりと、または解放可能に固定するように構成され、該保持部材の該低減された材料部分は、該保持リングと該針ホルダとの間に規定された少なくとも１つの刻み目部分を備え、その結果、該保持部材および該針ホルダは、該針ホルダからの該保持部材の分離の前に、単一の一体化された部品として構成され、
該保持リングは、該プランジャーに向かって該保持リングの表面から延びる少なくとも１つの突起を含み、該少なくとも１つの突起は、該保持リングの外周エッジと該少なくとも１つの刻み目部分との間に配置され、該プランジャーおよび該少なくとも１つの突起は、さらに、該バレルの遠位端に向かう該プランジャーの動作と共に、該保持リングの少なくとも１つの突起と該プランジャーの遠位端との係合の際に、該少なくとも１つの刻み目部分に沿った該針ホルダからの該保持リングの逐次的な破断を開始するように構成され、その結果、破断の完了の際に、該針ホルダは該プランジャー引き込み空洞内に引き込まれる、注射器。
【請求項２８】
前記バレルは、前記内部表面から内側に延びる保持部材を備え、該保持部材は、該針アセンブリが、該バレルの近位の開口から該保持部材を通過して位置付けられることを可能にするように構成され、該保持部材は、該プランジャーが該針アセンブリを係合するように前進したとき、かつ該針ホルダが該プランジャー空洞内に引き込まれるまで、該針アセンブリを軸方向に固定するように構成される、請求項２７に記載の注射器。
【請求項２９】
前記針アセンブリおよびバレル内部表面は、対応する固定部分を含み、該対応する固定部分は、互いに相互に係合し、該針アセンブリが該バレル内に少なくとも部分的に設置される場合には、該バレルに対する前記針ホルダの回転運動を制限するように構成されている、請求項２８に記載の注射器。
【請求項３０】
前記針アセンブリおよびバレル内部表面は、対応する固定部分を含み、該対応する固定部分は、互いに相互に係合し、該針アセンブリが該バレル内に少なくとも部分的に設置される場合には、該バレルに対する前記針ホルダの回転運動を制限するように構成されている、請求項２０に記載の注射器。
【請求項３１】
前記保持部材は、前記プランジャーに向かって該保持部材の表面から延びる少なくとも１つの突起を備え、該少なくとも１つの突起は、該保持部材の外周エッジと前記針ホルダとの間に配置され、該プランジャーおよび該少なくとも１つの突起は、さらに、前記バレルの遠位端に向かう該プランジャーの動作と共に、前記保持リングの該少なくとも１つの突起と該プランジャーの遠位端との接触の際に、少なくとも１つの刻み目部分に沿った、該針ホルダからの該保持リングの逐次的な破断を開始するように構成される、請求項２０に記載の注射器。